Podtech/llm-jp-corpus-v4-ja_patent huggingface dataset:
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
基板上にシリコンと窒素を含む層を形成する方法であって、
シリコンを含む基板をチャンバ内に導入するステップと、
該チャンバ内の該基板を窒素と希ガスのプラズマに曝して、窒素を該基板の上面に混入させ且つ該基板上にシリコンと窒素を含む層を形成するステップであって、該希ガスが、アルゴン、ネオン、クリプトン、及びキセノンからなる群より選ばれる、前記ステップと、
シリコンと窒素を含む該層をアニールするステップと、
シリコンと窒素を含む該層を窒素のプラズマに曝して、より多くの窒素をシリコンと窒素を含む層に混入させるステップと、
次いで、シリコンと窒素を含む該層を更にアニールするステップと、
を含む、前記方法。
【請求項２】
シリコンと窒素を含む該層を該アニールするステップが、該層中に酸素を導入する工程を含む、請求項１に記載の方法。
【請求項３】
該プラズマが、ＲＦ電力、マイクロ波電力、又はこれらの組み合わせを用いて生成される、請求項１に記載の方法。
【請求項４】
基板上にシリコンと窒素を含む層を形成する方法であって、
シリコンを含む基板をチャンバ内に導入するステップであって、該基板が、水素終端した或いは上部に化学酸化物薄層を備える上面を有する、前記ステップと、
該チャンバ内の該基板を窒素と希ガスのプラズマに曝して、窒素を該基板の該上面中に混入させ且つ該基板上にシリコンと窒素を含む層を形成するステップであって、該希ガスが、アルゴン、ネオン、クリプトン、及びキセノンからなる群より選ばれる、前記ステップと、
シリコンと窒素を含む該層をアニールするステップであって、該アニール中、酸素が該層中に導入される前記ステップと、
シリコンと窒素を含む該層を窒素のプラズマに曝して、より多くの窒素を、シリコンと窒素を含む該層中に混入させるステップと、
次いで、シリコンと窒素を含む該層を更にアニールするステップと、
を含む、前記方法。
【請求項５】
該基板を該チャンバ内に導入する前に、該基板を洗浄するステップを更に含む、請求項４に記載の方法。
【請求項６】
該基板を洗浄するステップが、ウェット洗浄プロセスを含む、請求項５に記載の方法。
【請求項７】
該ウェット洗浄プロセスが、基板をＨ２Ｏと、ＮＨ４ＯＨと、Ｈ２Ｏ２を含む溶液に曝すことを含む、請求項６に記載の方法。
【請求項８】
該基板を洗浄するステップが、該基板をＨＦに曝す工程を含む、請求項７に記載の方法。
【請求項９】
基板上にシリコンと窒素を含む層を形成する方法であって、
シリコンを含む基板をチャンバ内に導入するステップと、
該チャンバ内の該基板を窒素とアルゴンのプラズマに曝して、窒素を該基板の上面中に混入させ且つ該基板上にシリコンと窒素を含む層を形成するステップと、
シリコンと窒素を含む該層をアニールするステップであって、該アニール中、酸素が該層中に導入される、前記ステップと、
シリコンと窒素を含む該層を窒素のプラズマに曝して、より多くの窒素を、シリコンと窒素を含む該層中に混入させるステップと、
次いで、シリコンと窒素を含む該層を更にアニールするステップと、
を含む、前記方法。
【請求項１０】
該基板を該チャンバ内に導入する前に、該基板を洗浄するステップを更に含む、請求項９に記載の方法。
【請求項１１】
該洗浄するステップが、水素終端した或いは上部に化学酸化物薄層を備える該基板の上面を形成する、請求項１０に記載の方法。
【請求項１２】
該上面が、その上に約３オングストローム〜約５オングストロームの厚さを有する化学酸化物薄層を備える、請求項４又は１１に記載の方法。
【請求項１３】
該窒素が、窒素源として窒素ガス（Ｎ２）によって供給される、請求項１、４、又は９に記載の方法。
【請求項１４】
該アニールするステップ及び更にアニールするステップが、各々、シリコンと窒素を含む該層を、約８００℃〜約１１００℃の温度で、酸素ガス（Ｏ２）を含むガスに曝す工程を含む、請求項１又は９に記載の方法。
【請求項１５】
該アニールするステップ及び更にアニールするステップが、シリコンと窒素を含む該層を、約８００℃〜約１１００℃の温度で、不活性ガスに曝す工程を含む、請求項１又は９に記載の方法。
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
ターゲット領域を照射するための照射システムであって、
フットプリントを形成するＬＥＤダイのモザイクを含むＬＥＤ光源であって、前記フットプリントは、垂直中心線及び水平中心線の周りで４つの四分区間に分割されており、少なくとも２つの四分区間については、少なくとも２つの異なる色のＬＥＤダイが前記少なくとも２つの四分区間内に存在するようにしたＬＥＤ光源と、
前記ＬＥＤ光源から光を集光する集光レンズと、
前記ターゲット領域において前記ＬＥＤ光源から光を受ける画像形成装置とを備えるシステム。
【請求項２】
前記少なくとも２つの四分区間は互いに対角にある、請求項１に記載のシステム。
【請求項３】
前記ＬＥＤダイは、少なくとも２つの異なる寸法を有する、請求項１に記載のシステム。
【請求項４】
前記ＬＥＤダイは、３つの異なる色について３つの異なる寸法を有する、請求項３に記載のシステム。
【請求項５】
順次的な照射を供給する、請求項１に記載のシステム。
【請求項６】
前記画像形成装置は、液晶オンシリコン素子である、請求項１に記載の投影システム。
【請求項７】
前記モザイクは、前記垂直中心線及び前記水平中心線の少なくとも一方の周りで非対称である、請求項１に記載のシステム。
【請求項８】
前記モザイクは、少なくとも５つのダイを含み、
前記モザイクは、３つの異なる色の各々について少なくとも２つのダイを含む、請求項１に記載のシステム。
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
レセプタ上に画像を転写するための方法であって、
基材上に光熱変換層と、該光熱変換層上にコーティングされた転写層とを提供する工程と、
該転写層を該レセプタの表面に接触させて置く工程と、
該像様パターン中の該光熱変換層を光源を用いて照射して、像様パターンに対応する該転写層の一部分を該レセプタに熱的に転写する工程と、
該照射する工程の前に、該レセプタ上の少なくとも１つの層をアニールする工程と、
を含む、方法。
【請求項２】
レセプタ上に画像を転写するための方法であって、
基材上に光熱変換層と、該光熱変換層上にコーティングされた転写層とを提供する工程と、
該転写層を該レセプタの表面に接触させて置く工程と、
該像様パターン中の該光熱変換層を光源を用いて照射して、像様パターンに対応する該転写層の一部分を該レセプタに熱的に転写する工程と、
該照射する工程の前に、該レセプタ上の少なくとも１つの層をアニールする工程と、
該レセプタに転写した後で、該転写層の該一部分をアニールする工程と、
を含む、方法。
【請求項３】
有機発光ダイオードデバイスを形成するための方法であって、
レセプタ上に正孔注入層を適用する工程と、
該正孔注入層をアニールする工程と、
該レセプタ上に正孔輸送層を適用する工程と、
該正孔輸送層をアニールする工程と、
基材上に光熱変換層と、該光熱変換層上にコーティングされる転写層とを提供する工程と、
該転写層を該レセプタの表面に接触させて置く工程と、
該像様パターン中の該光熱変換層を光源を用いて照射して、像様パターンに対応する該転写層の一部分を該レセプタに熱的に転写する工程と、
を含む、方法。
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
偏光した光エンジン画像を供給する光エンジンであって、
前面を有する光源と、
前記前面からの非コリメート光を集光し、前記前面からの不完全にコリメートされた光を供給する集光レンズと、
前記不完全にコリメートされた光を受け、前記前面の実質的にコリメートされた画像を供給するコリメートレンズと、
前記前面の前記コリメート画像を受ける偏光フィルタであって、前記コリメート画像の偏光部分を前記偏光した光エンジン画像の直接成分として通過させ、再利用画像を反射させて前記前面へ戻し、前記前面は前記再利用画像を前記偏光した光エンジン画像の再利用成分として供給するようにした偏光フィルタと、を備え、
前記偏光フィルタは、前記偏光した光エンジン画像の輝度均一性を向上させるように前記直接成分に対する前記再利用成分の部分を変位させる非直交形状を有する光エンジン。
【請求項２】
前記偏光フィルタの非直交形状は、傾斜した偏光フィルタ形状及び湾曲した偏光フィルタ形状からなる群から選択される、請求項１に記載の光エンジン。
【請求項３】
前記フィルタ形状は、前記コリメートレンズに面する湾曲凸状面を有する、請求項１に記載の光エンジン。
【請求項４】
第１の領域が、発光ダイオードアレイを含む、請求項１に記載の光エンジン。
【請求項５】
前記発光ダイオードアレイは、白色光を発する、請求項４に記載の光エンジン。
【請求項６】
前記発光ダイオードアレイは、赤色、緑色及び青色の光を順次に放射する、請求項４に記載の光エンジン。
【請求項７】
前記集光レンズ及び光源は、カプセル化された発光ダイオードボールレンズ内に一体化されている、請求項１に記載の光エンジン。
【請求項８】
前記第１の領域は、発光ダイオードの中心に対して中心外れの光学輝度パターンを発する発光ダイオードを含み、前記非直交偏光フィルタは前記偏光した光エンジン画像の中心合わせを改善している、請求項１に記載の光エンジン。
【請求項９】
前記光源と前記偏光フィルタとの間に配置された４分の１波長板を更に備える、請求項１に記載の光エンジン。
【手続補正書】
【提出日】平成22年2月10日(2010.2.10)
【手続補正１】
【補正対象書類名】明細書
【補正対象項目名】００４４
【補正方法】変更
【補正の内容】
【００４４】
【化４０】
2008538117.tif 000001
提供された合成方法全体は高度に収束性であり、そしてＰｄカップリング手順を用いることにより鍵となる中間体の多くの可能な組み合わせを可能にする。
【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
ラクトバチルスロイテリ（Ｌａｃｔｏｂａｃｉｌｌｕｓ  ｒｅｕｔｅｒｉ）株ＡＴＣＣ  ＰＴＡ−６４７５である菌株。
【請求項２】
請求項１に記載の菌株の培養物由来の馴化培地を含む、炎症性腸疾患における炎症を治療するための医薬。
【請求項３】
ラクトバチルスロイテリ株ＡＴＣＣ  ＰＴＡ−６４７５を含む、炎症性腸疾患患者に投与するための医薬。
【請求項４】
ラクトバチルスロイテリ株ＡＴＣＣ  ＰＴＡ−６４７５の培養物由来の馴化培地を含む、炎症性腸疾患患者に投与するための医薬。
【請求項５】
公知の摂取可能な担体と、ラクトバチルスロイテリ株ＡＴＣＣ  ＰＴＡ−６４７５を含む、炎症性腸疾患における炎症を治療するのに有用な医薬組成物。
【請求項６】
公知の摂取可能な担体と、ラクトバチルスロイテリ株ＡＴＣＣ  ＰＴＡ−６４７５由来の馴化培地を含む、炎症性腸疾患における炎症を治療するのに有用な医薬組成物。
【請求項７】
請求項１記載の菌株の培養物が増殖した後のラクトバチルス馴化培地中に存在する５ｋＤａのタンパク様物質を含む、潰瘍を治療するのに有効な医薬。
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
下記式：
【化１】
2008538574.tif 000001
で示される、化合物。
【請求項２】
下記式：
【化２】
2008538574.tif 000002
で示される、化合物又は薬学的に許容されるその塩。
【請求項３】
下記式：
【化３】
2008538574.tif 000003
で示される化合物を含む、医薬組成物。
【請求項４】
下記式：
【化４】
2008538574.tif 000004
で示される化合物又は薬学的に許容されるその塩を含む、医薬組成物。
【請求項５】
下記式：
【化５】
2008538574.tif 000005
で示される化合物の有効量をその必要な患者に投与することを含む、２型糖尿病を処置する方法。
【請求項６】
下記式：
【化６】
2008538574.tif 000006
で示される化合物又は薬学的に許容されるその塩の有効量をその必要な患者に投与することを含む、２型糖尿病を処置する方法。
【誤訳訂正書】
【提出日】平成22年3月1日(2010.3.1)
【誤訳訂正１】
【訂正対象書類名】特許請求の範囲
【訂正対象項目名】全文
【訂正方法】変更
【訂正の内容】
【特許請求の範囲】
【請求項１】
マルチトール強化生成物の製造方法にあって、この方法が次の連続工程:
a) 液化されたスターチミルクを得るために、スターチミルクを４〜５のデキストロース当量までに液化し、ついで乾燥物質に対して少なくとも８１％のマルトースを含むシロップ(A)を得るためにβ-アミラーゼ、プルナラーゼ及びα-アミラーゼの存在下に、この液化されたスターチミルクを糖化工程に付し、
b)クロマトグラフィーによって分別し、この場合、フラクション(B)の乾燥物質に対して少なくとも９６％のマルトースを含む、マルトースが豊富なフラクション(B)を得るためにこの分別の処理条件を選択し、  
c)少なくとも９５％のマルチトールを含む液体マルチトール強化生成物(C)を得るためにフラクション(B)を接触水素化し、 
d) 液体マルチトール強化生成物(C)の乾燥物質を増加させる：
工程を含む、上記マルチトール強化生成物の製造方法。
【請求項２】
前記方法の工程 d)の後に次の連続工程、すなわち
e)  結晶性マルチトール中間体(D)及び液体マルチトール副生成物(E)を得るために、１回又は多数回の結晶化工程によって生成物(C)を結晶化させ、この場合中間体(D)が少なくとも９３％の乾燥物を有し、そして乾燥物質に対して少なくとも９７％のマルチトールを含み、ついで 
f)  少なくとも９８．５％の乾燥物質を有し、そして乾燥物質に対して少なくとも９７％のマルチトールを含む結晶性マルチトール生成物(F)を得るために、結晶性マルチトール中間体(D)を乾燥させる、
工程を続ける、請求項1記載の方法。
【請求項３】
前記方法の工程f)の後に、液体マルチトール副生成物(E)をクロマトグラフィーによって分別し、この際この分別の処理条件が乾燥物質に対して少なくとも９０％のマルチトールを含む、マルチトールが豊富なフラクション(G)を得るために選ばれる、請求項２記載の方法。
【請求項４】
結晶性マルチトール中間体(D)、副生成物(E)、及び／又はフラクション(G)を水の存在又は不在下で混合して、乾燥物質に対して少なくとも９４％のマルチトールを含み、そして少なくとも５０％の乾燥物質を有する液体マルチトール生成物(H)を得る、請求項２又は３記載の方法。
【請求項５】
結晶性マルチトール生成物 (F)が、９９．５％より大きい純度を有する、請求項２〜４のいずれか1つに記載の方法。
【誤訳訂正２】
【訂正対象書類名】明細書
【訂正対象項目名】０００７
【訂正方法】変更
【訂正の内容】
【０００７】
特許文献3に、87%より大きいマルトース含有量を有する、マルトースが豊富なシロップの製造方法が記載されている。その第一工程はα-アミラーゼを用いるスターチミルクの液化である。α-アミラーゼを阻害した後、75%に達するか又はこの値を超えるまで 第一糖化工程をマルトース生成α-アミラーゼの存在下に行う。この後、β-アミラーゼ 及びプルナラーゼ及びイソアミラーゼより成る群から選ばれた少なくとも１種の脱分岐酵素の存在下に第二糖化工程を行い、87%より大きいマルトース含有量とする。特許請求の範囲に、これらの工程がこの順序で実施されることが明確に請求されている。
【誤訳訂正３】
【訂正対象書類名】明細書
【訂正対象項目名】００５１
【訂正方法】変更
【訂正の内容】
【００５１】
具体的な実施態様において、本発明は、
a) スターチミルクを液化して、2〜25のデキストロース当量を有する液化されたスターチミルクとし、
b) 少なくとも 81% マルトース (乾燥物質に対して)を含むマルトースシロップ(A) を得るために、液化されたスターチミルクをβ-アミラーゼ、プルナラーゼ及び α-アミラーゼの存在下に糖化し、
c) 少なくとも 96% マルトース、好ましくは 98%のマルトース (乾燥物質に対して)を含むマルトース強化フラクション (B) を得るために、クロマトグラフィーによる分別を行い、
d) マルトース強化フラクション (B) を水素添加して、 少なくとも 95%のマルチトール (乾燥物質に対して)を含むマルチトール シロップ (C) とする、 方法に関する。
【誤訳訂正４】
【訂正対象書類名】明細書
【訂正対象項目名】００７２
【訂正方法】変更
【訂正の内容】
【００７２】
表 1
時間あたり及び樹脂のｍ３あたりで表わされる結果
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
ガス内燃式締結装置用燃焼ガスカートリッジにおいて、外側ケーシング（２）を具備し、該外側ケーシング上に内側カップ部（５）の周縁部（６）がクリンプ止めされ、該カップ部（５）から出口端（８）が突出しており、
前記カートリッジの外側ケーシング（２）が、段付き状に形成され、異なる直径の少なくとも３つの領域、すなわち第１の端部領域（９）、クリンプ機械のヘッドのための第２の領域（１０）、および、端部領域（９）の直径以上の直径を有しクリンプヘッドのための第２のベアリング領域（１０）と共に環状の肩部（１２）を形成する第３の領域（１１）を含むことを特徴とするカートリッジ。
【請求項２】
前記第３の領域は外側ケーシング（２）と一体をなす請求項１に記載のカートリッジ。
【請求項３】
前記第３の領域は前記外側ケーシング（２）に付加される請求項１に記載のカートリッジ。
【請求項４】
前記第２の領域は、外側ケーシング（２）の長さの１０〜６０％である請求項１〜３の何れか１項に記載のカートリッジ。
【請求項５】
前記外側ケーシング（２）の大径領域（１１）の直径は、周縁部（６）の直径よりも最大で３０％大きくなっている請求項１または２に記載のカートリッジ。
【手続補正２】
【補正対象書類名】明細書
【補正対象項目名】０００５
【補正方法】変更
【補正の内容】
【０００５】
この目的のために、本発明は、ガス内燃式締結装置用燃焼ガスカートリッジにおいて、外側ケーシングを具備し、該外側ケーシング上に内側カップ部の周縁部がクリンプ止めされ、該カップ部から出口端が突出しており、前記カートリッジの外側ケーシングが、段付き状に形成され、異なる直径の少なくとも３つの領域、すなわち第１の端部領域、クリンプ機械のヘッドのための第２の領域、および、端部領域の直径以上の直径を有しクリンプヘッドのための第２のベアリング領域と共に環状の肩部を形成する第３の領域を含むことを特徴とするカートリッジに関する。
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
第１基板及び第２基板と、該基板間に設けられた液晶層と、該第１基板の液晶層側の表面に設けられた第１配向膜と、該第２基板の液晶層側の表面に設けられた第２配向膜とを備える液晶表示装置であって、
該液晶層は、負の誘電率異方性を有する液晶分子を含んで構成され、
該第１配向膜及び第２配向膜は、液晶分子を膜表面に対して略垂直かつ互いに直交する方位に配向させるものであり、感光性基を有する材料から形成された光配向膜である
ことを特徴とする液晶表示装置。
【請求項２】
前記光配向膜は、第１配向膜近傍及び第２配向膜近傍の液晶分子に略均一なプレチルト角を付与するものであることを特徴とする請求項１記載の液晶表示装置。
【請求項３】
前記液晶表示装置は、第１配向膜近傍及び第２配向膜近傍の液晶分子のプレチルト角が８９度以下であることを特徴とする請求項１又は２に記載の液晶表示装置。
【請求項４】
前記第１配向膜及び／又は第２配向膜は、４−カルコン基、４’−カルコン基、クマリン基、及び、シンナモイル基からなる群より選ばれる少なくとも一つの感光性基を有する材料から形成された光配向膜であることを特徴とする請求項１〜３のいずれかに記載の液晶表示装置。
【請求項５】
前記第１配向膜及び第２配向膜は、感光性基の結合構造、光異性化構造及び光再配向構造からなる群より選ばれる少なくとも一つの構造を有することを特徴とする請求項１〜４のいずれかに記載の液晶表示装置。
【請求項６】
前記第１配向膜及び第２配向膜は、一画素に２以上の配向方位が異なる領域を有することを特徴とする請求項１〜５のいずれかに記載の液晶表示装置。
【請求項７】
第１基板及び第２基板と、該基板間に設けられた液晶層と、該第１基板の液晶層側の表面に設けられた第１配向膜と、該第２基板の液晶層側の表面に設けられた第２配向膜とを備える液晶表示装置であって、
該液晶層は、負の誘電率異方性を有する液晶分子を含んで構成され、
該第１配向膜及び第２配向膜は、液晶分子を膜表面に対して略垂直かつ互いに直交する方位に配向させるものであり、
該液晶表示装置は、液晶分子のプレチルト角の差が第１配向膜近傍と第２配向膜近傍とで１．０度未満である
ことを特徴とする液晶表示装置。
【請求項８】
前記液晶表示装置は、第１配向膜近傍及び第２配向膜近傍の液晶分子のプレチルト角が８９度以下であることを特徴とする請求項７記載の液晶表示装置。
【請求項９】
前記第１配向膜及び／又は第２配向膜は、４−カルコン基、４’−カルコン基、クマリン基、及び、シンナモイル基からなる群より選ばれる少なくとも一つの感光性基を有する材料から形成された光配向膜であることを特徴とする請求項７又は８に記載の液晶表示装置。
【請求項１０】
前記第１配向膜及び第２配向膜は、一画素に２以上の配向方位が異なる領域を有することを特徴とする請求項７〜９のいずれかに記載の液晶表示装置。
【請求項１１】
前記液晶表示装置は、第１基板側に第１偏光板を有し、第２基板側に第２偏光板を有するものであり、
前記第１配向膜の配向方位と第１偏光板の吸収軸が平行、かつ第２配向膜の配向方位と第２偏光板の吸収軸が平行であることを特徴とする請求項１〜１０のいずれかに記載の液晶表示装置。
【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
サムネールを含むウィンドウを表示装置に表示するコンピュータ実装された方法であって、
修正が可能な第１のコンテンツを含むソース・ウィンドウを表示するステップと、
宛先ウィンドウを表示するステップであって、前記宛先ウィンドウの少なくとも一部は前記サムネールを含み、前記サムネールは前記ソース・ウィンドウの前記第１のコンテンツの少なくとも一部に対応する第２のコンテンツを含む、ステップと、
前記ソース・ウィンドウの前記第１のコンテンツと前記サムネールの第２のコンテンツとの間の持続的なインターフェースを介して前記サムネールの前記第２のコンテンツを動的（ダイナミック）に修正するステップであって、前記インターフェースは、前記ソース・ウィンドウの前記第１のコンテンツと前記サムネールの前記第２のコンテンツとの以前の比較以降に前記第１のコンテンツが変化したかどうかを判断し、前記ソース・ウィンドウの前記第１のコンテンツが変化すると常に、前記ソース・ウィンドウの前記第１のコンテンツがどのように変化したかに基づいて前記第２のコンテンツが修正される、ステップと、
を含むことを特徴とする方法。
【請求項２】
請求項１記載の方法において、前記ソース・ウィンドウの少なくとも一部を定義する第１のパラメータを受け取るステップを更に含み、前記修正するステップは、前記第１のパラメータに基づいて前記サムネールの中に引き込まれる前記ソース・ウィンドウの少なくとも一部を決定するステップを含むことを特徴とする方法。
【請求項３】
請求項２記載の方法において、前記宛先ウィンドウの少なくとも一部を定義する第２のパラメータを受け取るステップを更に含み、前記修正するステップは、前記第２のパラメータに基づいて前記サムネールをレンダリングされる前記宛先ウィンドウの少なくとも一部を決定するステップを更に含むことを特徴とする方法。
【請求項４】
請求項１記載の方法において、
前記ソース・ウィンドウを最小化する命令と、
最小化の前に、前記ソース・ウィンドウによって表示される最後のコンテンツを前記サムネールに自動的に表示する命令と、
を更に含むことを特徴とする方法。
【請求項５】
請求項１記載の方法において、前記ソース・ウィンドウの前記コンテンツが修正されると前記サムネールがリアルタイムで修正されることを特徴とする方法。
【請求項６】
請求項１記載の方法において、
前記ソース・ウィンドウの前記第１のコンテンツが変化すると常に前記サムネールの前記第２のコンテンツは自動的かつ連続的に修正され、更に、
前記ソース・ウィンドウを所定の間隔でポーリングして前記第１のコンテンツのどのような変化でも検出するステップを含むことを特徴とする方法。
【請求項７】
請求項１記載の方法において、前記サムネールを修正するステップは、前記サムネールの可視性を修正するステップを更に含むことを特徴とする方法。
【請求項８】
請求項１記載の方法において、前記サムネールを修正するステップは、視覚的な優先順位を前記サムネールに割り当てるステップを更に含むことを特徴とする方法。
【請求項９】
請求項１記載の方法において、前記サムネールの前記第２のコンテンツを修正するステップは、前記ソース・ウィンドウの前記第１のコンテンツが変化すると常に自動的に生じることを特徴とする方法。
【請求項１０】
サムネールを含むウィンドウを表示装置に表示するシステムであって、
修正が可能なコンテンツを含むソース・ウィンドウと前記ソース・ウィンドウに対応する宛先ウィンドウとを表示するディスプレイと、
宛先ウィンドウの中にあり前記ソース・ウィンドウの少なくとも一部に対応するサムネールを登録する管理手段（マネジャ）であって、前記登録は、
前記ソース・ウィンドウのためのウィンドウ・ハンドルを受け取るステップと、
前記ソース・ウィンドウと前記サムネールとの間の関連を確立することにより、前記ソース・ウィンドウの前記コンテンツの少なくとも一部が前記サムネールの中に引き込まれるようにするステップと、
前記ソース・ウィンドウに対応するウィンドウ・サイズ・パラメータを受け取り、前記サイズ・パラメータに対応するサイズにおいて前記ソース・ウィンドウを記憶するステップと、
前記ソース・ウィンドウと前記サムネールとの間の関連を表す一意的なハンドルを受け取るステップと、
を含む管理手段と、
プロセッサと、
コンピュータ実行可能な命令を記憶するメモリと、
を備えており、前記コンピュータ実行可能な命令は、前記プロセッサによって実行されると、前記ソース・ウィンドウの前記第１のコンテンツと前記サムネールの第２のコンテンツとの間の持続的なインターフェースを介して前記サムネールを動的に修正する方法をこのシステムに実行させ、前記インターフェースは、前記ソース・ウィンドウの前記第１のコンテンツと前記サムネールの前記第２のコンテンツとの以前の比較以降に前記第１のコンテンツが変化したかどうかを判断し、前記ソース・ウィンドウの前記第１のコンテンツが変化すると常に、前記方法は、
前記ソース・ウィンドウの少なくとも一部を定義し前記ソース・ウィンドウの１又は複数の座標を含む第１のパラメータに基づいて、前記サムネールの中に引き込まれる前記ソース・ウィンドウの少なくとも一部分を決定するステップと、
前記サムネールがレンダリングされる前記宛先ウィンドウの少なくとも一部を定義する第２のパラメータに基づいて、レンダリングされる前記サムネールを決定するステップと、
制御値を受け取り、前記制御値に基づいて前記サムネールの少なくとも一部の不透明性を設定するステップと、
ブール値（Boolean value）を受け取り、前記ブール値に基づいて前記サムネールの前記少なくとも一部の可視性を設定するステップと、
を含むことを特徴とするシステム。
【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2010502767.tif 000001
の化合物又は対応するＮ−オキシド若しくはプロドラッグ；又は該化合物の薬学的に許容される塩若しくは溶媒和物；並びに該塩及び溶媒和物のＮ−オキシド及びプロドラッグ。
【請求項２】
請求項１に記載の化合物を、少なくとも１つの薬学的に許容される担体又は賦形剤と共に含む、医薬組成物。
【請求項３】
請求項１に記載の化合物を含む関節炎症を治療するための医薬。
【請求項４】
請求項１に記載の化合物を含む関節リウマチを治療するための医薬。
【請求項５】
メトトレキサートとともに請求項１に記載の化合物を含む関節炎症を治療するための医薬。
【請求項６】
メトトレキサートとともに請求項１に記載の化合物を含む関節リウマチを治療するための医薬。
【請求項７】
請求項１に記載の化合物を含む腫瘍を治療するための医薬。
【請求項８】
請求項１に記載の化合物を含むマントル細胞リンパ腫を治療するための医薬。
【請求項９】
請求項１に記載の化合物を含む血管新生を阻害するための医薬。
【請求項１０】
塩が、塩酸塩、臭化水素酸塩、硫酸塩、リン酸塩、硝酸塩、スルファミン酸塩、酢酸塩、クエン酸塩、乳酸塩、酒石酸塩、マロン酸塩、シュウ酸塩、サリチル酸塩、プロピオン酸塩、コハク酸塩、フマル酸塩、マレイン酸塩、メチレン−ビス−ｂ−ヒドロキシナフトエ酸塩、ゲンチシン酸塩、イセチオン酸塩、ジ−ｐ−トルオイル酒石酸塩、メタンスルホン酸塩、エタンスルホン酸塩、ベンゼンスルホン酸塩、ｐ−トルエンスルホン酸塩、シクロヘキシルスルファミン酸塩及びキナ酸塩から選ばれる、請求項１に記載の化合物。
【請求項１１】
塩が塩酸塩である、請求項１に記載の化合物。
【請求項１２】
塩が酢酸塩である、請求項１に記載の化合物。
【請求項１３】
塩がクエン酸塩である、請求項１に記載の化合物。
【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
５ｍｍ未満の直径を有し、ポリマー（類）のマトリックス内に治療上有効な量のファクターＸａ阻害剤を含有する複数のミニ錠剤を含む、経口投与のためのモディファイされた放出医薬組成物。
【請求項２】
ミニ錠剤が、４．５ｍｍ未満の直径を有するところの、請求項１記載の、モディファイされた放出医薬組成物。
【請求項３】
ミニ錠剤が、腸溶コートされているところの、請求項１〜２のいずれか一項記載の、モディファイされた放出医薬組成物。
【請求項４】
ポリマー（類）のマトリックスが１００，０００ダルトンから８００，０００ダルトンまでの分子量を有する高分子量ポリマー（類）であるところの、請求項１〜３のいずれか一項記載のモディファイされた放出医薬組成物。
【請求項５】
高分子量ポリマーが、ＨＰＭＣであるところの、請求項４記載のモディファイされた放出医薬組成物。
【請求項６】
ミニ錠剤が、カプセル以外の組成物の総重量に基づいて２０％〜６０％のマトリックスポリマー（類）を含むところの、請求項１〜５のいずれか一項記載の、モディファイされた放出医薬組成物。
【請求項７】
ミニ錠剤が、微結晶セルロースをさらに含むところの、請求１〜６のいずれか一項記載の、モディファイされた放出医薬組成物。
【請求項８】
健常な成人のヒトへの単回経口量投与後の生体内最大血漿中濃度（Ｃｍａｘ）を示すファクターＸａ阻害剤を含む、経口投与のためのモディファイされた放出医薬組成物であって、Ｃｍａｘ  ＧＭＲの絶食：給餌の比率が０．９０〜１．１５の間にあるところの、医薬組成物。
【請求項９】
健常な成人のヒトへの単回経口量投与後の生体内曲線下面積（ＡＵＣ）を示すファクターＸａ阻害剤を含む、経口投与のためのモディファイされた放出医薬組成物であって、ＡＵＣ  ＧＭＲの絶食：給餌の比率が０．９０〜１．１５の間にあるところの、医薬組成物。
【請求項１０】
ファクターＸａ阻害剤を含む経口投与のための請求項８または請求項９記載のモディファイされた放出医薬組成物であって、以下の特性：
ａ）  Ｃｍａｘ  ＧＭＲの絶食：給餌の比率が０．９０〜１．１０の間にある、健常な成人のヒトへの単回経口量投与後の生体内最大血漿中濃度（Ｃｍａｘ）；および、
ｂ）  ＡＵＣ  ＧＭＲの絶食：給餌の比率が０．９０〜１．１０の間にある、健常な成人のヒトへの単回経口量投与後の生体内曲線下面積（ＡＵＣ）、
のいずれか一方または両方により特徴づけられるところの、医薬組成物。
【請求項１１】
ファクターＸａ阻害剤が、（Ｅ）−２−（５−クロロチエン−２−イル）−Ｎ−｛（３Ｓ）−１−［（１Ｓ）−１−メチル−２−モルホリン−４−イル−２−オキソエチル］−２−オキソピロリジン−３−イル｝エテンスルホンアミドおよび／またはその医薬上許容される溶媒和物であるところの、請求項１〜１０のいずれか一項記載の、モディファイされた放出医薬組成物。
【請求項１２】
各ミニ錠剤が、５ｍｇ〜１０ｍｇのファクターＸａ阻害剤を含むところの、請求項１〜１１のいずれか一項記載の、モディファイされた放出医薬組成物。
【請求項１３】
ファクターＸａ阻害剤による改善に影響されやすい状態をわずらう患者の処置のための医薬の製造のための、請求項１〜１２のいずれか一項記載の、モディファイされた放出医薬組成物。
【請求項１４】
ファクターＸａ阻害剤による改善に影響されやすい状態の処置に使用するための、請求項１〜１２のいずれか一項記載の、モディファイされた放出医薬組成物。
【請求項１５】
請求項１〜１２のいずれか一項記載のモディファイされた放出医薬組成物を投与することを含む、ファクターＸａ阻害剤による改善に影響されやすい状態を処置または予防する方法。
【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
直径約０．０１μｍないし２０μｍのキチン微粒子を少なくとも１個含むことを特徴とする、アジュバント組成物。
【請求項２】
前記キチン微粒子は直径約１μｍないし１０μｍであることを特徴とする、請求項１に記載のアジュバント組成物。
【請求項３】
前記キチン微粒子は直径約１μｍないし４μｍであることを特徴とする、請求項１に記載のアジュバント組成物。
【請求項４】
前記キチン微粒子は、２型ヘルパーＴ細胞の活性を低下させ、１型ヘルパーＴ細胞の活性を増大させるのに有効な量で医薬品組成物に懸濁されることを特徴とする、請求項１に記載のアジュバント組成物。
【請求項５】
前記キチン微粒子は、１ミリグラムあたり粒子約１×１０３個から５×１０９個までの濃度で存在することを特徴とする、請求項１に記載のアジュバント組成物。
【請求項６】
前記キチン微粒子は、１ミリグラムあたり粒子約１×１０８個から約６×１０８個までの濃度で存在することを特徴とする、請求項５に記載のアジュバント組成物。
【請求項７】
前記キチン微粒子の直径が約１μｍないし約１０μｍのとき、該キチン微粒子は１ミリグラムあたり粒子約１×１０８個から約３×１０８個までの濃度で存在することを特徴とする、請求項５に記載のアジュバント組成物。
【請求項８】
前記キチン微粒子の直径が約１μｍないし約４μｍのとき、該キチン微粒子は１ミリグラムあたり粒子約３×１０８個から約６×１０８個までの濃度で存在することを特徴とする、請求項５に記載のアジュバント組成物。
【請求項９】
前記組成物は、マイコバクテリウム属細菌の抗原と、ＭＤＰ−５９と、ブタクサのアレルゲンと、ピーナッツのアレルゲンと、木の実のアレルゲンと、花粉のアレルゲンと、家屋内のチリ・ダニのアレルゲンと、ゴキブリのアレルゲンと、卵白アルブミンと、マイコバクテリウム属細菌のヒート・ショックタンパク質６５と、抗原と、これらの精製タンパク質誘導体（ＰＰＤ）及び誘導体とをさらに含むことを特徴とする、請求項１に記載のアジュバント組成物。
【請求項１０】
前記抗原は、ワクチン、腫瘍抗原、ウイルス性抗原、細菌性抗原又はペプチドを含むことを特徴とする、請求項９に記載のアジュバント組成物。
【請求項１１】
エンドトキシン不含生理食塩水でキチンの原料を洗浄するステップと、
洗浄されたキチンを酸と混合するステップと、
酸可溶性のキチンの抽出及び単離するステップと、
可溶性のキチンを中和及び沈殿するステップと、
水に不溶性のキチンを洗浄するステップと、
水に不溶性のキチンを凍結乾燥するステップと、
水に不溶性のキチンをエンドトキシン不含生理食塩水に再懸濁するステップと、
キチンの粒子を微細孔を通して濾過するステップと、
１−１０μｍのキチン微粒子を調製するステップとを含むことを特徴とする、キチン微粒子を調製する方法。
【請求項１２】
前記キチン微粒子のサイズは約１μｍないし４μｍであることを特徴とする、請求項１１に記載の方法。
【請求項１３】
生理食塩水中の前記キチン微粒子は少なくとも１年間４°Ｃで安定であることを特徴とする、請求項１１に記載の方法。
【請求項１４】
炎症性疾患の治療及び／又は予防のための医薬品組成物の製造のためのキチン微粒子の使用であって、前記治療及び／又は予防は約１μｍないし４μｍの前記キチン微粒子の治療上の有効量を患者に投与することを含む、使用。
【請求項１５】
前記キチン微粒子は、患者の体重１キログラムあたり約０．１−５００ｍｇを含む量で投与されることを特徴とする、請求項１４に記載の使用。
【請求項１６】
前記キチン微粒子は、患者の体重１キログラムあたり約０．１−１０ｍｇを含む量で腹腔内又は皮下に投与されることを特徴とする、請求項１４に記載の使用。
【請求項１７】
前記キチン微粒子は、経口投与されるとき、患者の体重１キログラムあたり約０．００１−１ｇを含む量で投与されることを特徴とする、請求項１４に記載の使用。
【請求項１８】
前記キチン微粒子は、２型ヘルパーＴ細胞の活性を低下させ、１型ヘルパーＴ細胞の活性を増大させるのに有効な量で医薬品組成物に懸濁されることを特徴とする、請求項１４に記載の使用。
【請求項１９】
投与経路は、経口投与、腹腔投与、静注及び／又は皮下投与であることを特徴とする、請求項１４に記載の使用。
【請求項２０】
前記キチン微粒子の経口投与はＴｈ２が介在する疾患を下向き調節するのに治療上有効であり、前記疾患は、アレルギー性喘息、食物アレルギー及びアレルギー性皮膚炎を含むことを特徴とする、請求項１４に記載の使用。
【請求項２１】
前記キチン微粒子の投与は、細胞内感染に対するＴｈ１宿主防御を上向き調節するのに治療上有効であることを特徴とする、請求項１４に記載の使用。
【請求項２２】
直径約１μｍないし４μｍの前記キチン微粒子の有効量をヒト以外の動物に投与するステップを含むことを特徴とする、免疫応答を変調する方法。
【請求項２３】
前記キチン微粒子は、２型ヘルパーＴ細胞の活性を低下させ、１型ヘルパーＴ細胞の活性を増大させるのに有効な量で医薬品組成物に懸濁されることを特徴とする、請求項２１に記載の使用。
【請求項２４】
投与経路は、経口投与、腹腔投与、静注及び／又は皮下投与であることを特徴とする、
請求項２１に記載の使用。
【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
式：
Ｒｆ［−Ｒ１−Ｃ２Ｈ４−Ｓ−Ｒ２−Ｓｉ（Ｙ）ｘ（Ｒ３）３−ｘ］ｙ（式中、
Ｒｆは、一価又は二価ペルフルオロポリエーテル基であり、
Ｒ１は、共有結合、−Ｏ−、又は二価アルキレン若しくはアリーレン基又はこれらの組み合わせであって、前記アルキレン基は１つ以上のカテナリー酸素原子を含有してもよく、
Ｒ２は、二価アルキレン若しくはアリーレン基又はこれらの組み合わせであって、前記アルキレン基は１つ以上のカテナリー酸素原子を含有してもよく、
Ｙは、加水分解性基であり、
Ｒ３は、一価アルキル又はアリール基であり、ｘは１、２又は３であり、
ｙは１又は２である）のペルフルオロポリエーテルシラン。
【請求項２】
Ｒｆが、−（ＣｎＦ２ｎＯ）−、−（ＣＦ（Ｚ）Ｏ）−、−（ＣＦ（Ｚ）ＣｎＦ２ｎＯ）−、−（ＣｎＦ２ｎＣＦ（Ｚ）Ｏ）−、−（ＣＦ２ＣＦ（Ｚ）Ｏ）−及びこれらの組み合わせ（式中、ｎは１〜４であり、Ｚはペルフルオロアルキル基、ペルフルオロアルコキシ基又はペルフルオロエーテル基である）からなる群から選択されるペルフルオロ化反復単位を含むペルフルオロポリエーテル基である、請求項１に記載のペルフルオロポリエーテルシラン。
【請求項３】
前記ペルフルオロポリエーテル基が、−ＣＦ２Ｏ（ＣＦ２Ｏ）ｍ（Ｃ２Ｆ４Ｏ）ｐＣＦ２−（式中、ｍ及びｐの平均値は０〜５０であるが、ただしｍ及びｐは同時に０ではない）；
−ＣＦ２Ｏ（Ｃ２Ｆ４Ｏ）ｐＣＦ２−、−ＣＦ（ＣＦ３）Ｏ−（ＣＦ２ＣＦ（ＣＦ３）Ｏ）ｐ−Ｃ４Ｆ８Ｏ−（ＣＦ（ＣＦ３）ＣＦ２Ｏ）ｐ−ＣＦ（ＣＦ３）−、
及び−（ＣＦ２）３Ｏ（Ｃ４Ｆ８Ｏ）ｐ（ＣＦ２）３−（式中、ｐの平均値は１〜５０である）から選択される、請求項１に記載のペルフルオロポリエーテルシラン。
【請求項４】
Ｒｆが一価ペルフルオロポリエーテル基である、請求項１に記載のペルフルオロポリエーテルシラン。
【請求項５】
式ＨＳ−Ｒ２−Ｓｉ（Ｙ）ｘ（Ｒ３）３−ｘのメルカプトシランを、式：
Ｒｆ［−Ｒ１−ＣＨ＝ＣＨ２］ｙ（式中、
Ｒｆは、一価又は二価ペルフルオロポリエーテル基であり、
Ｒ１は、共有結合、−Ｏ−、又は二価アルキレン若しくはアリーレン基又はこれらの組み合わせであって、前記アルキレン基は１つ以上のカテナリー酸素原子を含有してもよく、
Ｒ２は、二価アルキレン若しくはアリーレン基又はこれらの組み合わせであって、前記アルキレン基は１つ以上のカテナリー酸素原子を含有してもよく、
Ｒ３は、一価アルキル又はアリール基であり、
Ｙは加水分解性基であり、ｘは１、２又は３であり、ｙは１又は２である）のエチレン性不飽和フッ素化化合物にフリーラジカル付加することを含む、請求項１に記載のペルフルオロポリエーテルシランの調製方法。
【請求項６】
表面上に請求項１に記載のペルフルオロポリエーテルシランのコーティングを有する基材を含むコーティングされた物品。
【請求項７】
請求項１に記載のペルフルオロポリエーテルシラン、有機溶媒、及び所望により有機又は無機酸を含むコーティング組成物。
【請求項８】
０．０１〜５０質量％のペルフルオロポリエーテルシランを含む、請求項５に記載の方法。
【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
０〜約４９．５重量％のキャリアオイルと、
約０．５〜約２５重量％の少なくとも１つの分散剤と、
少なくとも約４９．５重量％の熱伝導性粒子群とを含み、
前記熱伝導性粒子群は、少なくとも３つの分布の熱伝導性粒子群の混合物を含み、前記少なくとも３つの分布の熱伝導性粒子群のそれぞれが、他の分布から少なくとも５倍異なる平均（Ｄ５０）粒径を有する、熱伝導性グリース。
【請求項２】
前記少なくとも１つの分散剤が、イオン性分散剤及びポリマー分散剤を含む、請求項１に記載の熱伝導性グリース。
【請求項３】
第４の分布の熱伝導性粒子群を更に含む、請求項１に記載の熱伝導性グリース。
【請求項４】
前記少なくとも３つの熱伝導性粒子群の粒度分布が、本質的に重なり合わない、請求項１に記載の熱伝導性グリース。
【請求項５】
最大の平均（Ｄ５０）粒径を有する分布の粒子群が、金属粒子又は球状アルミニウム粒子を含み、
任意に、熱伝導性粒子群がダイヤモンドと金属粒子との混合物を含む、請求項１に記載の熱伝導性グリース。
【請求項６】
中間の平均（Ｄ５０）粒径を有する分布の粒子群が、炭化ケイ素又はダイヤモンド粒子を含み、
任意に、平均（Ｄ５０）粒径が最大から３番目又はこれよりも小さい粒子群が、酸化亜鉛粒子を含む、請求項５に記載の熱伝導性グリース。
【請求項７】
基板と、
該基板に取り付けられた少なくとも１つのマイクロエレクトロニクス熱源と、
該少なくとも１つのマイクロエレクトロニクス熱源上に配される、請求項１〜６のいずれか一項に記載の熱伝導性グリースと、を備え、
任意に、ヒートスプレッダを更に備え、
前記熱伝導性グリースが、前記マイクロエレクトロニクス熱源と前記ヒートスプレッダとの間に存在し、
任意に、放熱器を更に備え、前記熱伝導性グリースが、前記ヒートスプレッダと前記放熱器との間に存在する、マイクロエレクトロニクスパッケージ。
【請求項８】
熱伝導性グリースを製造する方法であって、
キャリアオイル、分散剤、及び請求項１に記載の熱伝導性粒子群を準備する工程と、
キャリアオイルと分散剤とを共に混合する工程と、
キャリアオイルと分散剤との混合物に、前記熱伝導性粒子群を平均粒径が最も小さいものから最も大きなものへと順次混合する工程と、を含み、
任意に、キャリアオイルと分散剤との混合物に前記熱伝導性粒子群を混合する前に熱伝導性粒子群を分散剤で予め処理する、方法。
【請求項９】
熱伝導性グリースを製造する方法であって、
キャリアオイル、分散剤、及び請求項１に記載の熱伝導性粒子群を準備する工程と、
前記熱伝導性粒子群を共に混合する工程と、
キャリアオイルと分散剤とを共に混合する工程と、
混合された前記熱伝導性粒子群を、キャリアオイルと分散剤との混合物に混合する工程と、を含み、
任意に、キャリアオイルと分散剤との混合物に前記熱伝導性粒子群を混合する前に熱伝導性粒子群を分散剤で予め処理する、方法。
【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
ＮＳＡＩＤ、溶媒系、０〜６０％のアルカノールを含んでいる組成物であって、
（ｉ）該溶媒系は少なくとも２種のアルコール溶媒を含んでおり、
（ｉｉ）該少なくとも２種のアルコール溶媒の一方は、ポリエチレングリコール、プロピレングリコール、グリセリン、ポリエーテルポリオール、ブチレングリコール、またはグリセロール誘導体であり、
（ｉｉｉ）該溶媒系は少なくとも約２０％の超溶媒効果を有しており、
（ｉｖ）該溶媒系は、上記ＮＳＡＩＤを可溶化するために十分な量で存在しており、
（ｖ）該ＮＳＡＩＤは約１２％〜約３０％の量であり、
（ｖｉ）単一相である、組成物。
【請求項２】
上記少なくとも２種のアルコール溶媒の他方は、ポリエチレングリコール、プロピレングリコール、グリセリン、ポリエーテルポリオール、ブチレングリコール、グリセロール誘導体、エタノール、およびイソプロパノールから成る群より選択されるものである、請求項１に記載の組成物。
【請求項３】
上記ＮＳＡＩＤは、式１によって決定される値の約０．２５倍〜約２倍の量である、請求項１に記載の組成物。
【請求項４】
少なくとも約２０％の水をさらに含んでいる、請求項１に記載の組成物。
【請求項５】
請求項１に記載の組成物であって、
上記少なくとも２種のアルコール溶媒は、ポリエチレングリコールおよびプロピレングリコールであり、
該ポリエチレングリコールと該プロピレングリコールとを組み合わせた量は、約４０％〜約６０％の量であり、
水をさらに含んでおり、上記ＮＳＡＩＤおよび該水は、Ｗ＝−０．６２Ｄ＋ｂまたはＷ≦−０．６２Ｄ＋４２．５に従う量であり、
該ｂは０〜４２．５である、組成物。
【請求項６】
上記ＮＳＡＩＤのｐＫａが約３．０〜約６．５であり、該ＮＳＡＩＤのｌｏｇ１０Ｐ値が約２〜約５．５である、請求項５に記載の組成物。
【請求項７】
ＮＳＡＩＤのプロドラッグをさらに含んでいる、請求項１に記載の組成物。
【請求項８】
植物由来物質をさらに含んでいる、請求項１に記載の組成物。
【請求項９】
上記少なくとも２種のアルコール溶媒の一方が、アルカノールであり、
室温において保存された場合に、形成されるＮＳＡＩＤとアルカノールとのエステルが１％未満である、請求項１に記載の組成物。
【請求項１０】
上記アルカノールが、約０％〜約４０％、約０％〜約３０％、約０％〜約２０％、または約０％〜約１０％である、請求項１に記載の組成物。
【請求項１１】
約２，０００ｃｐｓ〜約２００，０００ｃｐｓ、約５０，０００ｃｐｓ〜約２００，０００ｃｐｓ、約５０，０００ｃｐｓ〜約１００，０００ｃｐｓ、約２，０００ｃｐｓ〜約５０，０００ｃｐｓ、約２，０００ｃｐｓ〜約２５，０００ｃｐｓ、約２，０００ｃｐｓ〜約１０，０００ｃｐｓ、および約２，０００ｃｐｓ〜約５，０００ｃｐｓから成る群より選択される粘度を有する、請求項１に記載の組成物。
【請求項１２】
上記ＮＳＡＩＤがＮＳＡＩＤのプロドラッグであり、増粘剤をさらに含んでいる請求項１に記載の組成物であって、
該ＮＳＡＩＤがフェニル酢酸型ＮＳＡＩＤであり、プロ部分は該ＮＳＡＩＤとエステル結合しているアミジル、チオ、またはアルキルである、組成物。
【請求項１３】
皮膚糸状菌症、脂漏性皮膚炎、または頭部粃糠疹に罹患している被験体を治療するための、請求項１に記載の組成物であって、
抗真菌剤をさらに含んでいる、組成物。
【請求項１４】
フルンケル、膿痂疹、皮膚感染症、酒さ、またはシュードモナス毛包炎に罹患している被験体を治療するための、請求項１に記載の組成物であって、
抗菌剤をさらに含んでいる、組成物。
【請求項１５】
治療が必要な被験体を治療するための、請求項１に記載の組成物であって、
コルチコステロイドをさらに含んでおり、
上記ＮＳＡＩＤは、コルチコステロイドを低減させる量である、組成物。
【請求項１６】
ＰＦＢ、皮膚炎、日焼け、光線角化症、酒さ、白斑、傷、または皮膚感染症に罹患している被験体を治療するための、請求項１に記載の組成物であって、
ＵＶＡ遮断剤、ＵＶＢ遮断剤、および酸化防止剤の１種以上をさらに含んでいる、組成物。
【請求項１７】
治療が必要な被験体を治療するための、請求項１に記載の組成物であって、
抗ヒスタミン剤をさらに含んでいる、組成物。
【請求項１８】
治療が必要な被験体を治療するための、請求項１に記載の組成物であって、
植物由来物質をさらに含んでいる、組成物。
【手続補正書】
【提出日】平成22年3月8日(2010.3.8)
【手続補正１】
【補正対象書類名】特許請求の範囲
【補正対象項目名】全文
【補正方法】変更
【補正の内容】
【特許請求の範囲】
【請求項１】
少なくとも１種の芳香族ポリカーボネート（Ｐ１）、および
繰り返し単位の５０質量％超が場合により置換されたアリーレン基であり［繰り返し単位（Ｒ２）］、前記繰り返し単位（Ｒ２）のそれぞれがその二つの末端のそれぞれによって、二つの他の場合により置換されていてもよいアリーレン基に、直接的なＣ−Ｃ結合を介して結合されており、そして前記繰り返し単位（Ｒ２）が、
・繰り返し単位（Ｒ２）の合計モル数を基準にして０〜７５モル％の、少なくとも１個の１価の置換基によって場合により置換されていてもよい、剛直棒状形成アリーレン単位（Ｒ２ａ）、および
・繰り返し単位（Ｒ２）の合計モル数を基準にして２５〜１００モル％の、少なくとも１個の１価の置換基によって場合により置換されていてもよい、キンク形成アリーレン単位（Ｒ２ｂ）
からなる混合物（Ｍ）である、少なくとも１種のポリアリーレン（Ｐ２）
を含むブレンド物（Ｂ）。
【請求項２】
芳香族ポリカーボネート（Ｐ１）とポリアリーレン（Ｐ２）との総合質量を基準にして、ポリアリーレン（Ｐ２）の質量が少なくとも１０％であることを特徴とする請求項１に記載のブレンド物。
【請求項３】
芳香族ポリカーボネート（Ｐ１）とポリアリーレン（Ｐ２）との総合質量を基準にして、ポリアリーレン（Ｐ２）の質量が多くとも３０％であることを特徴とする請求項１又は２記載のブレンド物。
【請求項４】
ブレンド物（Ｂ）の全質量を基準にして、芳香族ポリカーボネート（Ｐ１）とポリアリーレン（Ｐ２）との総合質量が９５％を超えることを特徴とする請求項１〜３のいずれか一項に記載のブレンド物。
【請求項５】
ポリアリーレン（Ｐ２）の繰り返し単位（Ｒ２）が、
繰り返し単位（Ｒ２）の合計モル数を基準にして０〜７５モル％の、少なくとも１個の１価の置換基によって場合により置換されていてもよいｐ−フェニレンから選択される剛直棒状形成アリーレン単位（Ｒ２ａ）、および
繰り返し単位（Ｒ２）の合計モル数を基準にして２５〜１００モル％の、（ｉ）少なくとも１個の１価の置換基によって場合により置換されていてもよいｍ−フェニレンおよび（ｉｉ）ｍ−フェニレンおよびｏ−フェニレンの両方が互いに独立して、少なくとも１個の１価の置換基によって場合により置換されている、ｍ−フェニレンとｏ−フェニレンとの混合物から選択されるキンク形成アリーレン単位（Ｒ２ｂ）
からなる混合物（Ｍ）であることを特徴とする請求項１〜４のいずれか一項に記載のブレンド物。
【請求項６】
混合物（Ｍ）において、繰り返し単位（Ｒ２）の合計モル数を基準にして、キンク形成アリーレン単位（Ｒ２ｂ）のモル数が少なくとも４０％であることを特徴とする請求項１〜５のいずれか一項に記載のブレンド物。
【請求項７】
混合物（Ｍ）において、繰り返し単位（Ｒ２）の合計モル数を基準にして、キンク形成アリーレン単位（Ｒ２ｂ）のモル数が多くとも６５％であることを特徴とする請求項１〜６のいずれか一項に記載のブレンド物。
【請求項８】
少なくとも１種の芳香族ポリカーボネート（Ｐ１）を少なくとも１種のポリアリーレン（Ｐ２）と溶融混合することを含む、請求項１〜７のいずれか一項に記載のブレンド物を調製するための方法。
【請求項９】
請求項１〜７のいずれか一項に記載のブレンド物を含むか、または請求項８記載の方法によって調製される、成形物品または成形物品の一部。
【請求項１０】
芳香族ポリカーボネート（Ｐ１）の火災安定剤添加物としてのポリアリーレン（Ｐ２）の、請求項１〜７のいずれか一項に記載のまたは請求項８記載の方法に従って調製されるブレンド物における使用。